(57)【要約】【課題】組み立て容易な簡単な構造を採用して耐久性が増すと共に、見た目の良い外観を提供することのできる椅子の背もたれ構造を提供することを主な目的とする。【解決手段】本発明に係る椅子の背もたれ構造体２は、略Ｌ字状に屈曲した金属製の支持部材２０と、この支持部材２０の湾曲部２３より一側に延びた立上部２１を覆うように一体成形され、片側が開口されたプラスチック製の背もたれ枠３０と、この背もたれ枠３０の開口側へ係合手段３３，４３を介して背もたれ枠３０に着脱自在に取付けられるクッション部材４０とを備える。【選択図】図２
2005334028.tif 000002
【特許請求の範囲】
【請求項１】
略Ｌ字状に屈曲した金属製の支持部材と、
該支持部材の湾曲部より一側に延びた立上部を覆うように一体成形され、片側が開口されたプラスチック製の背もたれ枠と、
該背もたれ枠の前記開口側へ係合手段を介して該背もたれ枠に着脱自在に取付けられるクッション部材と
を備える背もたれ構造体。
【請求項２】
前記背もたれ枠は、背当枠と、腰当枠とに二分割されており、
前記クッション部材は、前記背当枠及び前記腰当枠に各々取付けられるように、背当クッション部材と、腰当クッション部材とに二分割されている請求項１に記載の背もたれ構造体。
【請求項３】
前記支持部材は、前記背当枠と前記腰当枠との境界近傍でクッション部材とは反対側に僅かに屈曲している請求項２に記載の背もたれ構造体。
【請求項４】
前記係合手段は、複数対の、雄及び雌の取付クリップからなり、該雄取付クリップが前記背もたれ枠か前記クッション部材のいずれか一方に配設され、前記雌取付クリップが前記クッション部材か前記背もたれ枠のいずれか一方に配設されている請求項１に記載の背もたれ構造体。
【請求項５】
請求項１乃至４の内のいずれか１項に記載の背もたれ構造体と、
座部クッション部材及び該座部クッション部材を上部に取付け可能な座部取付枠からなる座部構造体と、
床面に立設された脚の頂部に取付け可能な取付基台と、を備え、
該取付基台は、前記座部クッション部材と前記座部取付枠との間に画成された空間部に位置するように配設され、
前記背もたれ構造体は、該背もたれ構造体のクッション部材が前記座部クッション部材より上側に且つ座部クッション部材に対面する方向に位置するように、前記支持部材の屈曲部より他側に延びた取付部が前記取付基台に固定されるように構成された椅子。
【請求項６】
前記取付部の前記取付基台への固定位置よりも前記屈曲部側における前記取付部と前記取付基台との間には、圧縮コイルばねが嵌挿されている請求項５に記載の椅子。
【請求項７】
前記取付基台は、床面に立設された脚の頂部に取付けられる固定基台と、スライド機構を介して前記固定基台に対して一方向に前後動可能なスライド基台とを備え、前記背もたれ構造体及び前記座部構造体は、前記スライド基台に装着されている請求項５に記載の椅子。
【発明の詳細な説明】
【技術分野】
【０００１】
本発明は、椅子の背もたれ構造体、並びに、この背もたれ構造体を備える椅子に関する。
【背景技術】
【０００２】
従来、パチンコホール等の遊技場においては、スペースの関係で、各遊技台の前に小さめの椅子がそれぞれ床面から支柱（脚部）を樹立させて設置されている。しかしながら、このような従来の遊技場用の椅子は、単に遊技者が腰を掛けることができる程度の小型なもので、何らの機能も具備しない簡易な構造の椅子が大半であった。
【０００３】
しかしながら、パチンコ等の遊技は、白熱してくると長時間椅子に腰掛けたままで連続して行われることが多く、遊技者の腰部に過度の負担を強いることになる。そこで、このような遊技場用の椅子においては、長時間遊戯しても疲労を感じない快適な座り心地が得られるべく各種の工夫が加えられるようになり、例えば、座部を前後方向へスライドさせたり、背もたれを後方向へ傾動させたりする機構を備えるものが開発されてきた（例えば、特許文献１〜４参照。）。
【０００４】
【特許文献１】特開平１１−２２５８５１号公報
【特許文献２】特開平１０−３２７９６５号公報
【特許文献３】特開平９−２７１４２０号公報
【特許文献４】特開平９−７５１７１号公報
【発明の開示】
【発明が解決しようとする課題】
【０００５】
しかしながら、遊技場に設置される椅子は、不特定多数の遊技者が頻繁に入れ替わって使用する場合が多いため、通常の事務用椅子に比べ、椅子の構造に係る負荷は、質・量とも大きく、また、椅子に係る負荷の態様も様々であるため、事務用椅子よりも堅牢な強度で作られていないと十分な耐久性を発揮し得ないものであるが、構造が複雑で耐久性に欠けるという問題があった。また、耐久性を追求するために、椅子の外観は、どちらかといえば見た目が悪くなることも知られていた。さらに、不特定多数の遊技者が使用するため、背もたれなどのクッションを衛生的に保つ必要性もあった。
【０００６】
従って、本発明は、上述した従来の技術の問題を解決するためになされたもので、組み立て容易な簡単な構造を採用して耐久性が増すと共に、見た目の良い外観を提供することのできる椅子の背もたれ構造、並びに、背もたれを備える椅子を提供することを主な目的とするものである。
【課題を解決するための手段】
【０００７】
上述の目的を達成するため、請求項１に記載の本発明は、略Ｌ字状に屈曲した金属製の支持部材と、該支持部材の湾曲部より一側に延びた立上部を覆うように一体成形され、片側が開口されたプラスチック製の背もたれ枠と、該背もたれ枠の前記開口側へ係合手段を介して該背もたれ枠に着脱自在に取付けられるクッション部材とを備える背もたれ構造体を提供することを特徴としている。
【０００８】
前記背もたれ枠を、背当枠と腰当枠とに二分割し、前記クッション部材を、前記背当枠及び前記腰当枠に各々取付けられるように、背当クッション部材と腰当クッション部材とに二分割することも好ましい。また、前記背当枠と前記腰当枠との境界近傍で、前記支持部材をクッション部材とは反対側に僅かに屈曲させることもできる。さらに、前記係合手段が複数対の、雄及び雌の取付クリップからなり、雄取付クリップ及び雌取付クリップを各々前記背もたれ枠か前記クッション部材のいずれかに配設することも望ましい。
【０００９】
また、本発明の別の局面によれば、上述した構造を有する背もたれ構造体と、座部クッション部材及び該座部クッション部材を上部に取付け可能な座部取付枠からなる座部構造体と、床面に立設された脚の頂部に取付け可能な取付基台と、を備え、該取付基台は、前記座部クッション部材と前記座部取付枠との間に画成された空間部に位置するように配設され、前記背もたれ構造体は、該背もたれ構造体のクッション部材が前記座部クッション部材より上側に且つ座部クッション部材に対面する方向に位置するように、前記支持部材の屈曲部より他側に延びた取付部が前記取付基台に固定されるように構成された椅子を提供することを特徴としている。
【００１０】
前記取付部の前記取付基台への固定位置よりも前記屈曲部側における前記取付部と前記取付基台との間に、圧縮コイルばねを嵌挿することができる。また、前記取付基台を、床面に立設された脚の頂部に取付けられる固定基台と、スライド機構を介して前記固定基台に対して一方向に前後動可能なスライド基台とから構成し、前記背もたれ構造体及び前記座部構造体を、前記スライド基台に装着することもできる。
【発明の効果】
【００１１】
略Ｌ字状に屈曲した金属製の支持部材の回りにプラスチック製の背もたれ枠を、例えば、射出成形などで一体成形するため、構造が単純で耐久性に優れると共に、背もたれ枠の開口側にクッション部材をワンタッチ式に取付けるだけで背もたれ構造体が完成するため、組み立ても容易である。
【発明を実施するための最良の形態】
【００１２】
次に、本発明の好適な実施の形態を、添付図面を参照しながら説明するが、図中、同一符号は、同一又は対応部分を示すものとする。
【実施例】
【００１３】
図１は、本願に係る背もたれ構造体を備える椅子を示す斜視図である。椅子１は、座部構造体５と、この座部構造体５の後側に配置された背もたれ構造体２とを備えており、床面９に立設された脚８に、座部構造体５の内部に配設された取付基台７（図２参照）を取付けてなるように構成されている。
【００１４】
次に、図２〜図７を参照しながら、椅子１の全体構造をより詳細に説明する。図２は、椅子１の分解斜視図であるが、背もたれ構造体２は、略Ｌ字状に屈曲した金属製の支持部材２０と、この支持部材２０の湾曲部２３より鉛直方向上側に延びている立上部２１を覆うように一体成形された背もたれ枠３０と、この背もたれ枠３０の開口側に係合手段を介して着脱自在に取付けられるクッション部材４０とからなっている。一方、座部構造体５は、下側に配設された座部取付枠５０と、この座部取付枠５０に適宜係合手段を用いて取付けられる座部クッション部材６０とからなっている。取付基台７は、座部クッション部材６０と座部取付枠５０との間に画成された空間部６９（図７参照）に位置するように配設されている。また、取付基台７は、後述するスライド機構を備えており、その固定基台７０（図４参照）が床面に立設された脚８に取付けられ、他方のスライド基台８０には、背もたれ構造体２の支持部材２０の取付部２２が圧縮コイルばね６を嵌挿しながら取付けられている。
【００１５】
背もたれ構造体２を概略手に示す分解斜視図である図３を用いて、この背もたれ構造体２を詳述する。金属製の支持部材２０は、略Ｌ字状に湾曲部２３において屈曲している。この支持部材２０は、一枚板から製造されており、遊技者が座って背もたれにもたれかかっても十分耐え得る支持強度を備えている。湾曲部２３より鉛直方向上側に延びている立上部２１には、プラスチック製の背もたれ枠３０が一体成型されている。これは、例えば、略Ｌ字状に屈曲した支持部材２０を所定の金型の中に位置させ、所定の形状をした背もたれ枠を射出成形などして形成することにより一体的に成型することができる。また、図３（Ｂ）に示す（例示的に背当枠の変形例のみ示す）ように、支持部材２０の支持強度を上げるために、背当枠３１’の枠体の上下に挿入部３４’を形成したり、２段階成型、例えば、まず最初に、挿入部３４’を有する底枠３５’を支持部材２０に成型し、その後に、外枠３６’を成型するようにしてもよい。しかしながら、一体成型する方法は、これらに限られず、既知のいかなる手段も用いることが可能である。また、一体成型することにより、組立が容易になるだけでなく、構造が簡単なために、背もたれが堅牢になり、その耐久性が増す。
【００１６】
背もたれ枠３０は、上側に位置する背当枠３１と、下側に位置する腰当枠３２とに二分割されている。このように二分割して腰や背を別々に支持することにより、遊技者が長時間遊技を行っても疲れないような快適な座り心地を提供することができる。また、外見上の見かけも素敵なものとなる。背当枠３１及び腰当枠３２は、各々一端が開口した有底箱状をしており、背面側に位置する底部には、雄の取付クリップ３３が適宜複数個配設されている。一方、クッション部材４０は、背当クッション部材４１と、腰当クッション部材４２とに二分割されており、各々に背当枠３１及び腰当枠３２に配設された雄の取付クリップ３３と対をなす雌の取付クリップ４３（図２においては、クッション部材４０の内側が見えないために、分解した状態で示してある）が適宜複数個配設されており、これらの雌の取付クリップ４３と雄の取付クリップ３３とで係合手段を構成している。従って、背当クッション部材４１と腰当クッション部材４２とは、各々対応する背当枠３１と腰当枠３２とに、対をなす取付クリップにより、ワンタッチで簡単に着脱することができる。なお、本実施形態においては、背もたれ枠３０側に雄取付クリップを、クッション部材４０側に雌取付クリップを、それぞれ配設したが、これらは、逆に配設することもできる。また、係合手段として、他の既存の如何なる手段も使用することができる。
【００１７】
背もたれ構造体２における支持部材２０の他端側に突出した取付部２２の端部には、後述する取付基台７のスライド基台８０に係合すべく水平方向に屈曲した係合部２４が形成されている。また、係合部２４に連設した斜め傾斜を有する傾斜部２８との境界には、ネジ用の穴２５が２個形成されている。一方、取付部２２の湾曲部２３側には、スライド基台８０との間に嵌挿する圧縮コイルばね６を受けるためのばね受窪み２６が形成されている。また、支持部材２０の立上部２１は、背当枠３１と腰当枠３２との境界近傍でクッション部材４０とは反対側に僅かに屈曲する屈曲部２７が形成されている（図７参照）。このように、腰当位置と背当位置との間で支持部材２０を屈曲させることにより、より優れた座り心地を提供することができる。
【００１８】
組み立てられた背もたれ構造体２は、図６等から明らかなように、取付基台７にボルト及びナット等の固着手段によって取付固定されるが、この取付基台７は、図７の側面図の紙面に対して左右方向、すなわち、背もたれの前後方向にスライド機構によって前後動可能に構成されている。以下に、図４を参照しながら、そのスライド機構を詳述する。取付基台７は、上述したように、床面に立設された脚８に取付けられる固定基台７０と、スライド機構を介して固定基台７０に対して前後動するスライド基台８０とを備えており、このスライド基台８０に、背もたれ構造体２の支持部材２０の取付部２２が取付固定されることにより、背もたれが前後動することができるように構成されている。
【００１９】
固定基台７０は、上方が開放された断面Ｕ字状の底部７１の上側に、中央部に窪み７２ａを有する上板７２を取付けて形成されている。この窪み７２ａは、スライド基台８０の箱部８１の下側から背もたれ構造体２の支持部材２０を固定するためのボルト８２を挿入したときに、ボルト８２の頭部に干渉しないように形成されている。底部７１には、開口部７３が画成されており、これと対応する上板７２の窪み７２ａには、半円形の二股開口部７２ｂが画成されており、図７に示すように、床面９に立設された脚８の頂部８ａを挿入し得るようになっている。なお、脚の取付けは、この実施例に限られず、例えば、開口部７３の位置に、脚の頂部を挿入し得るようなハブを取付けておくとか、内側にネジを切ったナットを取付けておくなど、適当な手段を用いることができる。
【００２０】
上板７２は、その両端部が底部７１の側壁より外側に突出している翼部７４を備えており、この翼部７４の長手方向に沿って、各々スライドベアリング７５が配設されている。なお、スライドベアリング７５の前側（図４に紙面右側）には、グリースボックス７５ａが設けられている。また、上板７２には、必要に応じて、後述するスライドストップ８３が当接するようにチェアーストップ板７６が適宜取付けられている。チェアーストップ板７６を備えることにより、スライドベアリング７５の衝撃が緩和されて寿命が長くなる。一方、底部７１の前側には立上部７７が設けられており、その両端部にフック部７７ａが形成されている。このフック部７７ａに、ばね８４の一端を引っ掛けられるようになっている。なお、底部７１及び上板７２の後側には、開口部７８（図４では、上板７２だけ見ることができる）が画成されており、後述する圧縮コイルばね６に干渉しないようになっている。
【００２１】
スライド基台８０は、上方が開放された断面Ｕ字状の箱部８１を有している。箱部８１の両下側には、一端が開放された断面コ字状のベアリング収容部８５が開放部が対面するように配設されており、固定基台７０の上板７２の両翼部７４に取付けられた一対のスライドベアリング７５がベアリング収容部８５に滑動自在に収容され、これにより、スライド基台８０が固定基台７０に対して前後動自在になる。なお、ベアリング収容部８５の前側端部には、各々スライドストップ８３が箱部８１を通してネジ８９で取付けられており、スライド基台８０が固定基台７０に対して後方へスライドした場合に、スライドストップ８３がスライドベアリング７５か、あるいは、必要に応じて配設されたチェアーストップ板７６に当接し、スライド基台８０が固定基台７０から抜け落ちないようになっている。なお、箱部８１の側壁の上部四隅には、外向きに折れ曲がったブラケット９３が一体成形されており、図２に示すように、ネジ６１で座部クッション部材６０の内側に取付けられるようになっている。なお、スライド基台８０は、座部構造体５の座部取付枠５０に取付けることもできる。
【００２２】
箱部８１の後底部には、略半円形の開口部９０が画成されている。開口部９０の下側には、ばね受け箱８６が配置され、箱部８１の下側に適当な手段で取付けられている。ばね受け箱８６には、図５及び図７に示すように、圧縮コイルばね６が挿入され、上述した背もたれ構造体２の支持部材２０に形成されたばね受窪み２６との間で圧縮コイルばね６を挟持するようになっている。箱部８１の後方には、後板８７が適宜取付けられている。後板８７の上側には、背もたれ構造体２の支持部材２０を挿入し得るような開口部９１が画成されている。また、後板８７の下方内側には、左右両側に一対のフック部が形成されており、ばね８４の他端が引っ掛けられるようになっている。これにより、スライド基台８０は、一対のばね８４の作用により、通常時には、固定基台７０の前方側に付勢されていて、固定基台７０の底部７１や上板７２の後端部にスライド基台８０の後板８７が当接するようになっている。なお、一対のばね８４は、圧縮コイルばね６の両外側位置に配設されて、両者が干渉しないように構成されている。また、後板８７は、ばね受箱８６と一体成形することもできる。さらに、後板８７の開口部９１の内側周囲に沿って、緩衝材としてのバンパー８８が取付けられている。
【００２３】
以上説明した取付基台７に背もたれ構造体２を取り付けるには、まず、図５に示すように、固定基台７０に対してスライド基台８０を組み上げる。それから、スライド基台８０のばね受箱８６に圧縮コイルばね６を挿入すると共に、背もたれ構造体２の支持部材２０を後板８７の開口部９１を通して挿入して、圧縮コイルばね６を支持部材２０のばね受窪み２６との間で挟持させながら、支持部材２０の取付部２２のねじ穴２５を箱部８１から上向きに突出しているボルト８２に挿入して、座板９４を介してナット９５で固定する。このような構成により、取付基台７の固定基台７０に対して、スライド基台８０に取り付けられた背もたれ構造体２は、前後方向にスライドすることができる。また、図７に示すように、支持部材２０の係合部２４と傾斜部２８と境界の屈曲部、すなわち座板９４で固定された位置を回動点として、背もたれ構造体２は、圧縮コイルばね６に抗して後下向きに回動することができる。なお、回動抵抗は、圧縮コイルばね６のばね弾性を変えることにより自由に設定することができる。
【００２４】
なお、背もたれ構造体２の支持部材２０の取付部２２には、図５に示すように、シャタ部材９６が適宜取り付けられており、図７に示すように、通常の状態において、開口部９１を塞ぐようになっている。これにより、開口部９１を通して取付基台７の内部に汚れが入らないだけでなく、誤って、指などを開口部９１に挿入して圧縮コイルばね６で怪我をしたりすることを回避することができる。
【００２５】
最後に、図２を参照しながら、座部構造体５を説明する。座部構造体５は、座部取付枠５０と座部クッション部材６０とを備えている。座部クッション部材６０は、上述したように、固定基台７０のスライド基台８０に形成されたブラケット９３にネジ６１で固定されている。座部取付枠５０は、ねじ５１により、下側から座部クッション部材６０に固定されている。座部取付枠５０の下側には、前側から後側に細長い脚よけ開口部５２が画成されており、座部構造体５がスライド基台８０と一体に前後動し得るようになっている。また、座部取付枠の後側には、背もたれ用切欠部５３が画成されており、背もたれ構造体２がスライド基台８０に対して後下向きに回動し得るようになっている。
【００２６】
このように構成された椅子１を床面９に立設された脚８に取り付けて固定して遊技者が座った場合には、遊技台に対して自分の好みの距離に椅子をスライドさせて位置させることができると共に、背もたれにも適宜寄りかかって楽な姿勢を取ることができ、長時間椅子に腰掛けたままでも疲労を感じさせることがない快適な座り心地を提供することができる。特に、背もたれが背当と腰当とに二分割されているため、遊技者が得られる快適度が増す。それにも拘わらず、背もたれ構造体自体、あるいはスライド機構への取付け等の構造は非常に簡単のものであるため、不特定多数の遊技者が頻繁に入れ替わって使用して多様な負荷が椅子に加わっても、十分な耐久性を発揮し得るものである。
【００２７】
以上のように、本願発明に係る背もたれ構造体やこの背もたれ構造体を備える椅子をパチンコホール等の遊技場における床面に立設した支柱（脚部）に取り付けた場合について説明したが、本願発明はこれに限定されるものではなく、例えば、一般的な事務用の椅子にも使用することができる。また、本願発明に係る椅子の取付基台と脚との間に既知の回動機構を設けることにより、椅子を水平方向に回転させることもできる。
【図面の簡単な説明】
【００２８】
【図１】本願に係る背もたれ構造体を備える椅子を示す斜視図である。
【図２】図１に示す椅子の全体構造を概略的に示す分解斜視図である。
【図３Ａ】本願に係る背もたれ構造体を概略的に示す分解斜視図である。
【図３Ｂ】背当枠の別の実施形態の概略を示す斜視図である。
【図４】椅子のスライド機構を構成する取付基台の構造を概略的に示す分解斜視図である。
【図５】背もたれ構造体のスライド基台への取付構造を概略的に示す分解斜視図である。
【図６】背もたれ構造体を取付基台に取付けた状態を示す斜視図である。
【図７】図１に示す椅子の内部構造を概略的に示す部分省略側面図である。
【符号の説明】
【００２９】
１    椅子
２    背もたれ構造体
５    座部構造体
７    取付基台
８    脚
２０    支持部材
２１    立上部
２２    取付部
２３    湾曲部
２４    係合部
２５    ねじ穴
２６    ねじ受窪み
２７    屈曲部
２８    傾斜部
３０    背もたれ枠
３１    背当枠
３２    腰当枠
３３    取付クリップ（係合手段）
３４’  挿入部
３５’  底枠
３６’  外枠
４０    クッション部材
４１    背当クッション部材
４２    腰当クッション部材
４３    取付クリップ（係合手段）
５０    座部取付枠
６０    座部クッション部材
６９    空間部
７０    固定基台
８０    スライド基台
【図１】
2005334028.tif 000003
【図２】
2005334028.tif 000004
【図３Ａ】
2005334028.tif 000005
【図３Ｂ】
2005334028.tif 000006
【図４】
2005334028.tif 000007
【図５】
2005334028.tif 000008
【図６】
2005334028.tif 000009
【図７】
2005334028.tif 000010